(57)【特許請求の範囲】
【請求項１】
釣り竿に装着され前記釣り竿の軸方向と交差する軸回りに釣り糸を巻き取る両軸受リールであって、
前記交差する軸方向に間隔を隔てて配置され外周を切削加工することにより側面視略円形をなした金属製の左右１対の側板と、外周を前記１対の側板の外周とともに切削加工することにより前記１対の側板の外周に沿う形状で前記１対の側板と一体で形成され前記１対の側板を連結する金属製の複数の連結部材とを有し、前記釣り竿に装着されるリール本体と、
前記リール本体の前記１対の側板間に回転自在に装着され外周に前記釣り糸が巻き付けられるスプールと、
前記リール本体の一側に回転自在に装着されたハンドルと、
前記ハンドルからの回転を前記スプールに伝達する回転伝達機構と、
前記１対の側板と別体で設けられ、前記リール本体の後部において前記１対の側板間に装着固定され、前記１対の側板を後部で連結する前記連結部材に固定され、前記１対の側板から後方に突出するリール保持部と、
を備えた両軸受リール。
【請求項２】
前記リール保持部の後部は下方に湾曲しながら傾斜している、請求項１に記載の両軸受リール。
【請求項３】
前記リール保持部は樹脂製部材である、請求項１又は２に記載の両軸受リール。
【発明の詳細な説明】
【０００１】
【発明の属する技術分野】
本発明は、釣り用リール、特に釣り竿に装着され釣り竿の軸方向と交差する軸回りに釣り糸を巻き取る両軸受リールに関する。
【０００２】
【従来の技術】
一般に、両軸受リールは、リール本体と、リール本体に回転自在に装着されたスプールと、スプールを回転させるためのハンドルとを備えている。リール本体は、釣り竿の軸方向と交差する方向に沿って所定の間隔をあけて対向配置された左右１対の側板と、両側板を連結する連結部材とを有している。この種の両軸受リールにおいて、リール本体の形状が側面から見て略円形の丸型リールが知られている。
【０００３】
この丸型リールを使用して船からバーチカルジギングと呼ばれる釣りを行うことがある。バーチカルジギングは、ジグと呼ばれる重いルアーを高速でほぼ垂直に巻き上げる釣法である。このバーチカルジギングを行う場合、小型のリールでは糸巻量が不足するため、スプールの糸巻取径が大きな中型のものが使用される。このようなバーチカルジギングでは、たとえば、左の脇に釣り竿のグリップ部を挟み、左手で釣り竿とリールとを保持し、左手で釣り竿をしゃくりつつ右手でハンドルを高速で回す動作を繰り返す。
【０００４】
【発明が解決しようとする課題】
バーチカルジギングでは、釣り糸の巻き上げ動作と釣り竿のしゃくり動作とを高速で繰り返し行うため、釣り竿とリールとをしっかり保持する必要がある。しかし、前記従来の中型の丸型リールの場合、小型のリールのように掌全体で釣り竿とリールとを保持するパーミングを行えないため、バーチカルジギングの際に釣り竿とリールとをしっかり保持しにくい。
【０００５】
本発明の課題は、中型の丸型リールにおける釣り竿との保持性を向上させることにある。
【０００６】
【課題を解決するための手段】
発明１に係る両軸受リールは、釣り竿に装着され釣り竿の軸方向と交差する軸回りに釣り糸を巻き取るリールであって、リール本体と、スプールと、ハンドルと、回転伝達機構と、リール保持部とを備えている。リール本体は、交差する軸方向に間隔を隔てて配置され外周を切削加工することにより側面視略円形をなした金属製の左右１対の側板と、外周を１対の側板の外周とともに切削加工することにより１対の側板の外周に沿う形状で１対の側板と一体で形成され１対の側板を連結する金属製の複数の連結部材とを有し、釣り竿に装着される。スプールは、リール本体の１対の側板間に回転自在に装着され外周に釣り糸が巻き付けられる。ハンドルは、リール本体の一側に回転自在に装着されている。回転伝達機構は、ハンドルからの回転をスプールに伝達する。リール保持部は、１対の側板と別体で設けられ、リール本体の後部において１対の側板間に装着固定され、１対の側板を後部で連結する連結部材に固定され、１対の側板から後方に突出している。
【０００７】
この丸型の両軸受リールでバーチカルジギングを行う際には、たとえば、左の脇に釣り竿の後端部を挟み、リール本体の後部に固定されたリール保持部に左手の親指を置き、他の指で釣り竿を掴んでリールと釣り竿とを保持し、左手で釣り竿をしゃくりつつ右手でハンドルを高速で回す動作を繰り返す。ここでは、リール本体の後部に後方に突出するリール保持部を設けたので、パーミングしづらい中型の丸型リールであっても親指を安定して置くことができ、釣り竿との保持性を向上させることができる。また、この場合には、１対の側板と複数の連結部材とは一体で形成されているので、リールに大きな荷重が作用しても撓み等の変形が生じがたく、巻き上げ効率の低下が少ない。さらに、この場合には、１対の側板と複数の連結部材とは金属製であり、少なくとも一方の側板と連結部材の外周は切削加工されているので、表面に光沢を与えることができ、美観の点で好ましい。さらに、この場合には、リール保持部を連結部材に固定するだけでよいので、リール保持部の構造が簡素になる。
【０００８】
発明２に係る両軸受リールは、発明１に記載のリールにおいて、リール保持部の後部は下方に湾曲しながら傾斜している。この場合には、リール保持部の後部が下方に湾曲しながら傾斜しているので、釣り竿を握りながら親指でリール保持部を掴みやすい。
【０００９】
発明３に係る両軸受リールは、発明１又は２に記載のリールにおいて、リール保持部は樹脂製部材である。この場合には、リール保持部に手指が馴染みやすくなるとともに、寒い季節に素手でリール保持部を保持してもさほど寒さを感じないですむ。
【００１０】
【発明の実施の形態】
図１において、本発明の一実施形態による両軸受リールは、たとえば、５号の釣り糸を３００ｍ程度巻き付け可能な中型の丸型リールである。丸型リールは、リール本体１と、リール本体１の側方に配置されたスプール回転用ハンドル２と、ハンドル２のリール本体１側に配置されたスタードラグ３とを備えている。リール本体１は、リール取付脚４を介して釣り竿Ｒに装着され得る。
【００１１】
リール本体１は、図２に示すように、所定の間隔をあけて配置された左右１対の側板１０，１１と側板１０，１１を連結する複数の連結部材１２とを有するフレーム５と、フレーム５の両側方に装着された第１カバー１３及び第２カバー１４とを有している。フレーム５及びカバー１３，１４はそれぞれ金属製の部材であり表面は切削加工により形成されている。１対の側板１０，１１及び２つのカバー１３，１４は、それぞれ側面から見て略円形をなしている。連結部材１２は、両側板１０，１１の外周に沿う形状で両側板１０，１１と一体で形成された板状の部材であり、たとえばリール本体１の後部と下部と上部との３か所で１対の側板１０，１１を連結している。このように側板１０，１１と複数の連結部材１２とを一体で形成することで、リール本体１に大きな荷重が作用しても撓み等の変形が生じがたく、巻上げ効率の低下が少ない。
【００１２】
下部の連結部材１２にはリール取付脚４が装着されている。後部の連結部材１２には、リールを釣り竿とともに保持するための合成樹脂製のサムレスト１７が装着されている。サムレスト１７は、図２及び図３に示すように、連結部材１２の上部と後部とに接するように形成され、かつ後部が側板１０，１１から径方向外方、つまり後方に突出している。サムレスト１７の上面後部１７ａは、下方に凸に湾曲しながら傾斜している。また、サムレスト１７の上面後部１７ａの左端（図２下側）及び右端（図２上側）は、後方への突出量が左側にいくにつれて徐々に減少している。サムレスト１７の後面１７ｂは下部が矩形状に切り欠かれており、そこに左右に間隔を隔てて２本の取付ボルト１８が装着されている。この取付ボルト１８によりサムレスト１７が連結部材１２に着脱自在に締結されている。
【００１３】
このような形状のサムレスト１７を設け、このサムレスト１７にたとえば左手Ｈの親指を置いて他の指で釣り竿Ｒを掴み釣り竿Ｒとともにリールを握ることで、バーチカルジギング時等に釣り竿Ｒをリールとともに確実に保持できる。
１対の側板１０，１１間には、図２に示すように、スプール１５が回転自在に配置されている。側板１０，１１の間にはスプール１５と並んでスプール１５に釣り糸を均一に巻くためのレベルワインド機構１６が配置されている。
【００１４】
側板１１の外側で第２カバー１４内には、ハンドル２からのトルクをスプール１５に伝えるための第１回転伝達機構２０と、第１回転伝達機構２０内に設けられたクラッチ機構２１とが配置されている。第１回転伝達機構２０は、スプール１５からハンドル２側にトルクが逆に伝達された場合のトルクを規制するための回転制御機構２２を含んでいる。また、側板１０の中心部には糸繰り出し方向に自由回転するスプール１５を制動するための遠心ブレーキ機構２３が配置され、側板１０の外側で第１カバー１３内には、スプール１５の回転をレベルワインド機構１６に伝達する第２回転伝達機構２４が配置されている。
【００１５】
スプール１５の中心にはスプール軸２５が固定されている。スプール軸２５は各カバー１３，１４に軸受２６を介して回転自在に支持されている。
第１回転伝達機構２０は、一端にハンドル２が固定されたハンドル軸３０と、ハンドル軸３０の他端に回転制御機構２２を介して連結されたメインギア３１と、メインギア３１に噛み合うピニオンギア３２とを有している。
【００１６】
ハンドル軸３０は、スプール軸２５と平行に配置されており、一端側が側板１１に回転自在に支持されている。メインギア３１は、ハンドル軸３０の一端側に回転制御機構２２を介して相対回転不能に連結することが可能である。このような構成では、クラッチ機構２１がオンされた状態では、ハンドル２からのトルクがスプール１５に直接伝達される。
【００１７】
クラッチ機構２１は、スプール軸２５の外周部にスライド自在に装着された筒状のピニオンギア３２と、ピニオンギア３２の一部に配置された係合溝３２ａとスプール軸２５に配置されたピン３６とを有している。スプール軸２５に沿ってピニオンギア３２を摺動させて、係合溝３２ａをピン３６と係合すれば、スプール軸２５とピニオンギア３２との間で回転力が伝達される。この状態がクラッチオンである。係合溝３２ａとピン３６の係合を外せば、スプール軸２５とピニオンギア３２との間で回転力は伝達されない。この状態がクラッチオフである。クラッチオフ状態では、スプール１５は自由に回転する。ピニオンギア３２は、図示しない付勢手段で係合溝３２ａとピン３６とが係合する方向すなわちクラッチオン状態に付勢されている。このクラッチ機構２１は、第２カバー１４の後部斜め上方に突出するクラッチレバー６（図１）によりクラッチオフ状態に操作される。
【００１８】
回転制御機構２２は、ハンドル軸３０を糸巻取方向にのみ回転させるローラ型のワンウェイクラッチ機構４０と、スプールの糸繰り出し方向の回転に対して設定した制動力を作用させるためのドラグ機構５０と、ハンドル軸３０を糸巻取方向にのみ回転させる爪式のラチェット機構６０とを有している。
なお、ハンドル軸３０の逆転（糸繰り出し方向の回転）を阻止するだけであれば、ラチェット機構６０のみを設けてワンウェイクラッチ機構４０を省いてもよい。しかし、ラチェット機構６０は、ラチェット爪がラチェット歯車に噛み合ったり噛み合いを外れたりする動作にある程度の時間がかかる。釣りの動作に要求される迅速で滑らかな逆転阻止動作を果たすには、前記のようなワンウェイクラッチ機構４０が好ましく、ワンウェイクラッチ機構４０では負担できないような過大な力をラチェット機構６０で負担することが有効である。
【００１９】
次に、釣用リールの使用時におけるリールの動作について説明する。
【００２０】
釣り糸を繰り出す時には、クラッチレバー６によりクラッチ機構２１をクラッチオフ状態にする。これによりスプール１５が自由回転状態になり、ジグ（仕掛け）の自重によりスプール１５が糸繰り出し方向に回転し、釣り糸がスプール１５から繰り出される。ジグが海底に到達するとハンドル２を糸巻取方向に回転させてバーチカルジギングを開始する。ハンドル２を糸巻取方向に回転させると図示しないクラッチリターン機構によりクラッチオン状態になる。
【００２１】
バーチカルジギングを行うときには、たとえば、左の脇に釣り竿Ｒの図示しない後端部を挟み、リール本体１の後部に固定されたサムレスト１７に左手Ｈの親指を置き、残りの指で釣り竿Ｒを掴んでリールと釣り竿Ｒとを保持し、左手で釣り竿Ｒをしゃくりつつ右手でハンドル２を高速で回す動作を繰り返す。
ハンドル２を糸巻取方向に回転させると、ハンドル２の回転がハンドル軸３０からワンウェイクラッチ機構４０、ドラグ機構５０を介してメインギア３１にそのまま伝達される。このときクラッチ機構２１はオン状態のため、メインギア３１の回転はピニオンギア３２からスプール１５に伝達されて、釣り糸が巻き上げられる。このとき、ワンウェイクラッチ機構４０及びラチェット機構６０では、回転が糸巻取方向であるので回転を許容する。
【００２２】
ここでは、リール本体１の後部にサムレスト１７を設けたので、そこに親指を載置することでパーミングしづらい中型の丸型リールであっても釣り竿との保持性を向上させることができる。
【００２３】
次に、魚の引きなどで釣り糸が繰り出される際には、スプール１５の回転がメインギア３１に伝達され、ドラグ機構５０を介してハンドル軸３０およびワンウェイクラッチ機構４０に伝わる。ワンウェイクラッチ機構４０ではハンドル軸３０の逆転が阻止される。魚の引きが弱ければ、スプール１５は回転せず釣糸が引き出されることもない。そして、魚の引きが強くなりスプール１５の回転力が大きくなると、伝達される回転力がドラグ機構５０の設定回転抵抗力を超える。そうすると、ドラグ機構５０で滑りが生じるので、メインギア３１を含むスプール１５側は回転を始める。このとき、スプール１５には常にドラグ機構５０から一定の抵抗力すなわちドラグ力が作用する。
【００２４】
〔他の実施形態〕
サムレスト１７の上面に滑り止め部を設けてもよい。滑り止め部としては、たとえば滑りにくい弾性体をサムレスト１７の上面に貼り付けたり、サムレスト１７の上面に溝等の滑り止めパターンを形成すればよい。
【００２５】
【発明の効果】
本発明によれば、リール本体の後部に径方向に突出するリール保持部を設けたので、パーミングしづらい中型の丸型リールであっても親指を安定して置くことができ、釣り竿との保持性を向上させることができる。
【図面の簡単な説明】
【図１】  本発明の一実施形態による両軸受リールの斜視図。
【図２】  その断面正面図。
【図３】  サムレストの断面拡大図。
【符号の説明】
１  リール本体
２  ハンドル
５  フレーム
１０，１１  側板
１２  連結部材
１５  スプール
１７  サムレスト
２０  第１回転伝達機構
Ｒ  釣り竿
Ｈ  左手
【図１】
0003797765.tif 000002
【図２】
0003797765.tif 000003
【図３】
0003797765.tif 000004